(57)【要約】【課題】バッグ本体部からサブバッグを取り外してウエストバッグとして使用する場合には、バッグ本体部とサブバッグを結合している結合ベルトをウエストベルト通しとして使用する。サブバッグをショルダーバッグとして使用する場合には、結合ベルトをサブバッグから取外して結合ベルトの存在がショルダーバッグとして使用するサブバッグの邪魔にならないようにする。【解決手段】  キャリングバッグ１は、バッグ本体部２と、バッグ本体部２の外面に着脱自在に組み付けられるサブバッグ６と、サブバッグ６をバッグ本体部２に着脱自在に組み付けると共にバッグ本体部２から分離したサブバッグ６をウエストベルトに取り付ける結合ベルト１５と、を備えている。結合ベルト１５をサブバッグ６に対して着脱自在とした。【選択図】図４
2009045266.tif 000002
【特許請求の範囲】
【請求項１】
バッグ本体部と、該バッグ本体部の外面に着脱自在に組み付けられるサブバッグと、該サブバッグを上記バッグ本体部に着脱自在に組み付けると共に上記バッグ本体部から分離した上記サブバッグをウエストベルトに取り付ける結合ベルトと、を備え、
上記結合ベルトは、上記サブバッグの結合ベルト取付部に着脱自在に取り付けられていることを特徴とするキャリングバッグ。
【請求項２】
上記結合ベルト取付部は、両端部に一対の結合ベルト挿抜用の開口部を備え、
上記結合ベルトは、上記結合ベルト取付部内に挿入されて長手方方向の両端部が上記一対の開口部から突出するベルト本体部と、該ベルト本体部の長手方向の一端部側に設けられて上記一対の開口部の一方の開口部の縁部に係合可能な抜け阻止部と、上記ベルト本体部の長手方向の他端部側に設けられたヒンジ部と、該ヒンジ部を介して上記ベルト本体部の長手方向の他端部側に設けられて上記ベルト本体部に重ねる折返部と、該折返部を上記ベルト本体部に結合する結合部材と、を備えていることを特徴とする請求項１に記載のキャリングバッグ。
【請求項３】
上記結合ベルトは、芯材と、該芯材の表面を覆っている表皮材と、で形成され、
上記抜け阻止部は、ベルト本体部の長手方向の一端側を折り返して所定の折返角度に結合することにより形成され、
上記ヒンジ部は、上記ベルト本体部と上記折返部の間において上記芯材を除去することにより形成されていることを特徴とする請求項２に記載のキャリングバッグ。
【請求項４】
上記結合ベルトは、合成樹脂により一体的に形成されていて、
上記抜け阻止部は、ベルト本体部の長手方向の一端側に両側部に上記サブバッグの開口部の幅よりも大となる一対の抜け止め用の凸部を設けることにより形成され、
上記ヒンジ部は、上記ベルト本体部と上記折返部の間に薄肉部を設けることにより形成されていることを特徴とする請求項２に記載のキャリングバッグ。
【請求項５】
サブバッグをバッグ本体部に取り付け、且つバッグ本体部から取り外したサブバッグをウエストベルトに取り付ける結合ベルトであって、
上記サブバッグに設けた結合ベルト取付部内に挿入されて長手方向の両端部が上記結合ベルト取付部の一対の開口部から突出するベルト本体部と、該ベルト本体部の長手方向の一端部側に設けられて上記一対の開口部の一方の開口部の縁部に係合可能な抜け阻止部と、上記ベルト本体部の長手方向の他端部側に設けられたヒンジ部と、該ヒンジ部を介して上記ベルト本体部の長手方向の他端部側に設けられて上記ベルト本体部に重ねる折返部と、該折返部を上記ベルト本体部に結合する結合部材と、を備えていることを特徴とする結合ベルト。
【発明の詳細な説明】
【技術分野】
【０００１】
本発明は、バッグ本体部とサブバッグを備え、必要に応じてバッグ本体部からサブバッグを分離して、独立のバッグ、例えばウエストポーチやショルダーバッグとして使用可能にしたキャリングバッグ及びバッグ本体部にサブバッグを取り付けると共に、バッグ本体部からサブバッグを分離した場合に、サブバッグをウエストベルトに取り付けて所謂ウエストポーチとして使用するための結合ベルト（ベルトクリップ）に関するものである。
【背景技術】
【０００２】
上述のキャリングバッグとして、バッグ本体部にビデオカメラ等の撮像機器や交換レンズ等を収納し、サブバッグに電池やアクセサリー等を収納して持ち運ぶようにした撮像機器用のキャリングバッグが開発されている。（例えば、特許文献１、特許文献２参照）。
【特許文献１】特開平０３−１２３５０５号公報
【特許文献２】特開平１０−０１４６３９号公報
【発明の開示】
【発明が解決しようとする課題】
【０００３】
ところで、上記従来のキャリングバッグは、バッグ本体部にサブバッグを結合するための結合ベルトがバッグ本体部或いはサブバッグに固着、即ち容易に取外すことができない状態に取り付けられていたために、上記結合ベルトを使用しない場合、即ちバッグ本体部とサブバッグを独立に使用する場合に、上記結合ベルトの存在が邪魔になるという問題点があった。
【０００４】
本発明の目的は、サブバッグをショルダーバッグとして使用する場合に、結合ベルトの存在がショルダーバッグとして使用するサブバッグの邪魔にならないようにすることにある。
【課題を解決するための手段】
【０００５】
本発明は、バッグ本体部と、該バッグ本体部の外面に着脱自在に組み付けられるサブバッグと、該サブバッグを上記バッグ本体部に着脱自在に組み付けると共に上記バッグ本体部から分離した上記サブバッグをウエストベルトに取り付ける結合ベルトと、を備えたキャリングバッグにおいて、上記結合ベルトを、上記サブバッグに着脱自在とした。
【０００６】
また、本発明は、サブバッグをバッグ本体部に取り付けるとともに、バッグ本体部から取り外したサブバッグをウエストベルトに取り付ける結合ベルトを、上記サブバッグに設けた結合ベルト取付部内に挿入されて長手方向の両端部が上記結合ベルト取付部の一対の開口部から突出するベルト本体部と、該ベルト本体部の長手方向の一端部側に設けられて上記一対の開口部の一方の開口部の縁部に係合可能な抜け阻止部と、上記ベルト本体部の長手方向の他端部側に設けられたヒンジ部と、該ヒンジ部を介して上記ベルト本体部の長手方向の他端部側に設けられて上記ベルト本体部に重ねる折返部と、該折返部を上記ベルト本体部に結合する結合部材と、で構成した。
【発明の効果】
【０００７】
本発明のキャリングバッグは、バッグ本体部からサブバッグを取外して独立のバッグとして使用する場合、例えばサブバッグをショルダーバッグとして使用するために結合ベルトが邪魔になるときには、結合ベルトを取外すことができる。
【０００８】
本発明の結合ベルトは、ベルト本体部を、サブバッグに設けた結合ベルト取付部内に挿入することにより容易にサブバッグに取り付けることができる。また、結合ベルトが不必要な時には、結合ベルトを結合ベルト取付部から引き抜くことにより、容易にサブバッグから取外すことができる。
【発明を実施するための最良の形態】
【０００９】
以下、本発明を、（１）撮像機器用キャリングバッグの概略構成、（２）バッグ本体部と蓋部の構成、（３）蓋部を閉じた状態に係止する係止手段の構成、（４）サブバック及び結合ベルト（ベルトクリップ）の構成、（５）レインカバーの構成、（６）他の実施例、の順で説明する。
（１）撮像機器用キャリングバッグの概略構成
図１はバッグ本体部の上面に設けた第１開口部を開いた状態の撮像機器用キャリングバッグの斜視図、図２は上記第１開口部を第１蓋部で閉じた状態の撮像機器用キャリングバッグの斜視図、図３は図２を背面側から見た斜視図、図４は分解斜視図である。
【００１０】
撮像機器用キャリングバッグ１は、バッグ本体部２と、該バッグ本体部２の上面側に設けた第１開口部３を開閉する第１蓋部４と、該第１蓋部４を閉じた状態に係止する係止手段５と、バッグ本体部２の前後の側面２ａ，２ｂに設けられたサブバッグ６と、バッグ本体部２の第１主面（撮像機器用キャリングバッグ１を携帯したときに携帯している人に接する面）２ｃに設けたポケット部７に収納されているレインカバー８と、を備えている。
【００１１】
第１蓋部４は、上面の中央部にグリップ部９を備えている。また、係止手段５は、第１蓋部４の全周をバッグ本体部２に係止する第１係止手段１１と、第１蓋部４の一部を部分的にバッグ本体部２に係止する第２係止手段１２の２種類の係止手段で構成されている。第１係止手段１１は、スライドファスナーで構成され、第２係止手段１２は、雄部材１３と雌部材１４が互いに嵌り合って係合する係止具で構成されている。
【００１２】
サブバッグ６は、結合ベルト（以下、ベルトクリップと称する）１５によりバッグ本体部２の前後の側面に着脱可能に取り付けられている。サブバッグ６は、バッグ本体部２から取り外してウエストバッグやショルダーバッグとしても使用される。ショルダーバッグとして使用する場合に、ベルトクリップ１５が邪魔になる場合には、ベルトクリップ１５をサブバッグ６から取り外す。
【００１３】
バッグ本体部２の前後の側面の上端部には前後一対のベルト掛け部１６，１７が設けられ、これらベルト掛け部１６，１７にショルダーベルト１８の一端部と他端部が掛止される。
【００１４】
図５に示すように、ショルダーベルト１８により撮像機器用キャリングバッグ１を肩に掛けて携帯している場合に、第１蓋部４は、携帯している人から離れる方向に開くようになっている。
【００１５】
レインカバー８は、撮像機器用キャリングバッグ１を肩に掛けた状態の侭でも上記ポケット部７から取り出して容易にバッグ本体部２及び第１蓋部４を覆うことができるようになっている。また、レインカバー８は、バッグ本体部２を覆った状態で第１蓋部４を開くことができるようになっていると共に、第１蓋部４を開くとこれに付随して、該第１蓋部４を覆っている部分が開くようになっている。
【００１６】
撮像機器用キャリングバッグ１は、図１に示すように、第１蓋部４を開いて第１開口部３からの撮像装置（以下、カメラと総称する）１０１や交換レンズ１０２等の付属品を収納した後に、図２に示すように第１蓋部４を閉じて第１係止手段１１及び／又は第２係止手段１２で第１蓋部４をバッグ本体部２側に係止して、第１蓋部４を閉じた状態に維持する。
（２）バッグ本体部と第１蓋部の構成
図４に示すように、バッグ本体部２は、上面側に第１開口部３を有する略直方体形状に形成されていて、携帯時において携帯する人の側に位置する第１主面部２ｃの上端２ｄが、該第１主面部２ｃに対向する第２主面部２ｅの上端２ｆよりも高位置にあって第１開口部４が外向きの下り勾配の傾斜状に形成されている。
【００１７】
第１開口部３は、第１蓋部４によって開閉される。第１蓋部４は、第１屈曲部２１を介して第２主面部２ｅの上端２ｆに連結されている。
【００１８】
図６に示すように、上記第２主面部２ｅは、第２開口部２２を備えていて、該第２開口部２２から交換レンズ１０３やバッテリー１０４、その他の付属品１０５をバッグ本体部２内に収納可能になっている。
【００１９】
第２開口部２２は、第２蓋部２３によって開閉される。第２蓋部２３は、第２屈曲部２４を介して第２開口部２２の下端に取り付けられている。第２蓋部２３は、スライドファスナー２５によって開閉される。
【００２０】
第２蓋部２３の両側部と第２開口部２２の両側部は、まち部（襞部）２６によって連結されている。第２蓋部２３は、まち部２６によって最大約９０°開くようになっている。
【００２１】
図４〜図６に示すように、バッグ本体部２内には第１開口部４と第２開口部２２の間を仕切る水平方向の仕切壁２７が設けられている。水平方向の仕切壁２７の上部は、垂直方向の仕切壁２８で２つの部屋に仕切られていて、その内の１つの部屋にカメラ１０１を収納し、他の部屋に使用頻度の高い交換レンズ１０２等を収納する。また、水平方向の仕切壁２７の下部は、垂直方向の仕切壁２９で３つの部屋に仕切られていて、各部屋に比較的に使用頻度の低い交換レンズ１０３やバッテリー１０４、その他の付属品１０５等を収納する。水平方向の仕切壁２７及び垂直方向の仕切壁２８，２９，３０は、ベルクロ等の着脱部材により仕切位置を変化させることが可能になっている。
（３）第１蓋部を閉じた状態に係止する係止手段の構成、
上述したように、第１蓋部４は、係止手段５によって、第１開口部３を閉じた状態に維持される。係止手段５は、第１，第２の２種類の係止手段１１，１２によって構成されている。第１係止手段１１は、第１開口部３の全周に亘って第１蓋部４をバッグ本体部２に係止するスライドファスナーによって構成されている。（以下、第１係止手段をスライドファスナーと称する）。
【００２２】
第２係止手段１２は、スライドファスナー１１を跨いで第１開口部３の中央部において部分的に第１蓋部４をバッグ本体部２に係止する雄部材１３と雌部材１４とからなる係止具で構成されている。（以下、第２係止手段をフィックスロックと称する）。
【００２３】
図７に示すように、雄部材１３は、バッグ本体部２への取付部３１と、該取付部３１の先端面の中央部に設けられた挿入ガイド突起３２と、該挿入ガイド突起３２の両側部に略平行に設けられた第１，第２の係合突起３３，３４と、を備えている。
【００２４】
第１，第２の係合突起３３，３４は、弾性を有し、先端部に雌部材１４との係合部３５を備えている。係合部３５は、外面（挿入ガイド突起３２に対向する面と反対側の面）に先端から後端に向かって後退するに従って突出度を増す傾斜面３６と、該傾斜面３６に連続していて上記外面に対して略直角の垂直面３７と、を備えている。
【００２５】
雄部材１３は、雌部材１４に挿入すると、係合部３５の垂直面３７が次に説明する雌部材１４の被係合部に係合して、雌部材１４に結合される。
【００２６】
雌部材１４は、扁平な断面略長四角形に形成されていて一端側に第１蓋部４への取付部４１を有する筒状のフレーム部４２と、該フレーム部４２の上下の主面の中央部に設けられていて上記雄部材１３の挿入ガイド突起３２をガイドする一対のリブ状のガイド部４３，４４と、これらガイド部４３，４４の外側に設けられていて長さ方向の先端部４５ａ，４６ａに上記第１，第２の係合突起３３，３４の係合部３５の垂直面３７が係合するリブ状の被係合部４５，４６と、これら被係合部４５，４６の外側に設けられ上記係合部３５の垂直面３７と上記被係合部４５，４６の係合を解除する係合解除操作部４７，４８を備えている。
【００２７】
図８に示すように、上記係合解除操作部４７は、一端側が屈曲部４９を介してフレーム部４２の側面に設けられていると共に自由端側の内面には第１，第２の係合突起３３，３４を内側に向けて押圧する押圧突起５０を備えている。他方の係合解除操作部４８も係合解除操作部４７と同様に形成されている。
【００２８】
雄部材１３は、取付バンド５１を介してバッグ本体部２に取り付けられている。また、雌部材１４は、取付バンド５２を介して第１蓋部４に取り付けられている。
【００２９】
次に、上記フィックスロック１２の作用について説明する。図９に示すように、雄部材１３を雌部材１４に挿入する。雄部材１３に設けた挿入ガイド突起３２を雌部材１４に設けた一対のリブ状のガイド部４３，４４間に位置させて挿入することにより雄部材１３が雌部材１４に対して位置決めされて円滑に挿入される。雄部材１３が雌部材１４内に所定量挿入されると、図１０に示すように、雄部材１３に設けた第１，第２の係合突起３３，３４の先端の係合部３５の傾斜面３６が雌部材１４に設けた一対のリブ状の被係合部４５，４６の上記先端部４５ａ，４６ａと反対側の端部４５ｂ，４６ｂに当接して押圧されて内側に撓み、上記係合部３５上記リブ状の被係合部４５，４６の内側に導入され、これらリブ状の被係合部４５，４６の内面に沿って移動する。
【００３０】
上記雄部材１３に設けた第１，第２の係合突起３３，３４の先端の係合部３５の傾斜面３６が，上記雌部材１４に設けた一対のリブ状の被係合部４５，４６の先端部４５ａ，４６ａから抜けると、第１，第２の係合突起３３，３４は、一対のリブ状の被係合部４５，４６による押圧を解除されて、弾性復帰して、図１１に示すように、上記係合部３５の傾斜面３６に連続する垂直面３７が上記一対のリブ状の被係合部４５，４６の先端部４５ａ，４６ａに係合して、雄部材１３は、雌部材１４から抜け出るのを防止され両者は結合された状態になる。
【００３１】
フィックスロック１２は、雄部材１３と雌部材１４を係合させることにより、上記グリップ部１０で撮像機器用キャリングバッグ１を携えた場合に、バッグ加重を負担して、バッグ加重の全てがスライドファスナー１１に掛かるのを防止してスライドファスナー１１がダメージを受けるのを防止している。
【００３２】
雄部材１３と雌部材１４が結合されている状態において、図１２に示すように、上記係合解除操作部４７，４８を押圧すると、上記押圧突起５０で上記傾斜面３６が押圧されて第１，第２の係合突起３３，３４が撓み、上記垂直面３９と上記リブ状の被係合部４５，４６の係合が解除されて、雄部材１３は、雌部材１４から抜き出される。
（４）サブバック及びベルトクリップの構成
サブバッグ６は、バッグ本体部２の前後の側面２ａ，２ｂに設けられた小物を入れるためのバッグである。サブバッグ６は、ベルトクリップ１５によってバッグ本体部２に取り付けられる。ベルトクリップ１５は、サブバッグ６に対して着脱自在になっている。
【００３３】
図１３は、サブバッグ６からベルトクリップ１５を取り外した状態の斜視図である。サブバッグ６の一側面には、ベルトクリップ１５を取り付けるベルトクリップ取付部６１が設けられている。ベルトクリップ取付部６１は、サブバッグ６の一側面に縦長状の布地等を当てて、該布地の両側をサブバッグ６の一側面に縫い付ける等の方法により形成されていて、上，下端部に開口部６２，６３を有している。
【００３４】
ベルトクリップ１５は、上記ベルトクリップ取付部６１内に挿入されるベルト本体部６４と、該ベルト本体部６４の長手方向の一端部側に設けられて上記一対の開口部６２，６３のうちの一方の開口部６２の縁部に係合する抜け阻止部６５と、ベルト本体部６３の長手方向の他端部側に設けられたヒンジ部（屈曲部）６６と、該ヒンジ部６６を介してベルト本体部６４の長手方向の他端部側に設けられた折返部６７と、該折返部６７をベルト本体部６４に結合する結合部材６８と、を備えている。結合部材６８は、ループ側テープ６８ａとフック側テープ６８ｂからなるベルクロで構成されている。
【００３５】
図１４に示すように、ベルトクリップ１５は、芯材６９と、該芯材６９の表面を覆っている合成皮革等の表皮材７０と、で構成されている。
【００３６】
抜け阻止部６５は、ベルト本体部６４の長手方向の一端側を所定の折返角度に折り返すことにより形成されている。また、ヒンジ部６６は、ベルト本体部６４と折返部６７の間において芯材６９を除去することにより形成されている。
【００３７】
図１５に示すように、ベルトクリップ１５は、折返部６７をサブバッグ６の一側面に設けた一方の開口部６２から挿入して他方の開口部６３から抜き出すことによりサブバッグ６に取り付けられる。
【００３８】
図４に示すように、バッグ本体部２の側面には、ベルトクリップ１５の折返部６７を挿入するベルトクリップ挿入部７１が設けられている。ベルトクリップ挿入部７１は、ベルトクリップ１５の折返部６７の長さの略１／２程度の長さに形成されている。
【００３９】
ベルトクリップ１５は、上述のような構成であって、図４に示すように、サブバッグ６の一側面にベルトクリップ１５を取付けた後、折返部６７をバッグ本体部２の側面に設けたベルト挿入部７１の一端側から挿入してベルトクリップ挿入部７１の他端側から抜き出す。そして、折返部６７を抜け阻止部６５上に重ね合わせると、これら折返部６７と抜け阻止部６５は、ベルクロを使用した結合部材６８で結合され、サブバッグ６は、バッグ本体部２の側面に取り付けられる。
【００４０】
サブバッグ６は、バッグ本体部２から取外してウエストバッグ或いはショルダーバッグとして使用される。図１６に示すように、サブバッグ６をウエストバッグとして使用する場合には、ベルトクリップ１５を使用してウエストベルト１１０にサブバッグ６を取り付ける。
【００４１】
また、サブバッグ６をショルダーバッグとして使用する場合には、図１７に示すように、サブバッグ６に設けられているショルダーベルト掛止部７２，７３にショルダーベルト７４を取り付ける。サブバッグ６をショルダーバッグとして使用する場合にベルトクリップ１５をサブバッグ６に取り付けた侭だと、サブバッグ６の外観を損なうのみならず、ベルトクリップ１５が脇腹等に当たってバッグを携帯している人に違和感を与える虞がある。このような場合には、ベルトクリップ１５を引き抜いてサブバッグ６から容易に取外す。
【００４２】
図１８は、ベルトクリップ１５の他の実施例を示す。この実施例は、ベルトクリップ１５を、ポリエチレンやＡＢＳ等の合成樹脂で一体的に形成した場合を示す。
【００４３】
この実施例において、抜け阻止部６５は、ベルト本体部６４の長手方向の一端側に両側部に上記サブバッグ６の開口部６２の幅よりも大となる一対の抜け止め用の凸部６５ａ，６５ｂを設けることにより形成されている。
【００４４】
ヒンジ部６６は、ベルト本体部６４と折返部６７の間（境目）を薄肉部とすることにより形成されている。
【００４５】
また、折返部６７をベルト本体部６４に結合する結合部材６８は、ベルト本体部６４側に設けられた弾性を有する係合突起６８ｃと、折返部６７側に設けられた突起係合孔６８ｄと、で構成されている。そして、折返部６７をベルト本体部６４に重ねると、図１９に示すように、係合突起６８ｃが突起係合孔６８ｄ内に侵入し、係合突起６８ｃの先端に設けた係合部６８ｅが突起係合孔６８ｄの周縁部に係合して、折返部６７とベルト本体部６４は、結合状態に維持される。
【００４６】
この実施例において、ベルトクリップは、合成樹脂で一体的に形成されるので、皮革や合成皮革等を縫製して形成されるベルトクリップに較べて安価に製造できる。その他の構成や使用方法等は基本となる実施例のベルトクリップと同じであるので重複する説明は省略する。なお、図２１に示すように、バッグ本体部２の側面に長さや配置位置の異なる数種類のベルトクリップ挿入部７１を設けておき、これらベルトクリップ挿入部７１をベルトクリップの長さに合わせて選択使用しても良い。
（５）レインカバーの構成
レインカバー８は、雨天時等において撮像機器用キャリングバッグ全体をすっぽりと覆って撮像機器を雨水等から保護するものである。レインカバー８は、ナイロン等の柔軟な合成樹脂地に撥水加工および日除けとして使用する場合を考慮して熱反射加工を施した素材で形成されている。図３に示すように、レインカバー８は、バッグ本体部２の第１主面２ｃに設けたポケット部７に常時収納されていて雨が降り出した時などに上記ポケット部７から取り出して使用される。
【００４７】
図２１に示すように、レインカバー８は、連結ベルト８１でバッグ本体部２に連結されている。連結ベルト８１は、一端側がレインカバー収納用のポケット部７の内部に結合され、他端側が上記ポケット部７の外部に引き出し可能なバッグ本体部側ベルト８２と、該バッグ本体部側ベルト８２の先端にバックル８３を介して接続され、他端側がレインカバー８に結合されているレインカバー側ベルト８４と、を備えている。連結ベルト８１は、上記バックル８３により長さ調整が可能になっている。
【００４８】
図２１、図２２に示すように、レインカバー８は、バッグ本体部２の第１主面２ｃを覆う第１主面覆い部８ａと、バッグ本体部２の底面を覆う底面覆い部８ｂと、バッグ本体部２の第２主面２ｅを覆う第２主面覆い部８ｃと、第１蓋部４を覆う第１蓋部覆い部８ｄと、バッグ本体部２の前，後の側面２ａ，２ｂを覆う前，後の側面覆い部８ｅ，８ｆと、を備えている。側面覆い部８ｅ，８ｆの上縁はゴム紐により伸縮可能になっている。
【００４９】
レインカバー８は、略袋状に形成されていて、第１主面覆い部８ａの両側部と側面覆い部８ｅ，８ｆの境目８ｇは、高さ方向の略中央部よりも上の部分が切断されていて、切断部分はベルクロ８ｈによって結合可能になっている。また、第１蓋部覆い部８ｄは、第２主面覆い部８ｃと境目８ｉで連結されている。
【００５０】
第１蓋部覆い部８ｄは、グリップ部９を露出させるためのスリット８ｊを備えている。上記第１蓋部覆い部８ｄの周縁部８ｋは、ゴム紐により伸縮可能になっている。
【００５１】
次に、レインカバー８の着用方法の一例について説明する。図２１に示すように、撮像機器用キャリングバッグ１のポケット部７からレインカバー８を取り出す。取り出したレインカバー８に、撮像機器用キャリングバッグ１を底面側から挿入する。
【００５２】
そして、図２３に示すように、レインカバー８の第１主面覆い部８ａでバッグ本体部２の第１主面２ｃを覆い、底面覆い部８ｂでバッグ本体部２の底面を覆い、第２主面覆い部８ｃでバッグ本体部２の第２主面２ｅを覆い、前，後の側面覆い部８ｅ，８ｆでバッグ本体部２の前，後の側面２ａ，２ｂを覆った後に、第１主面覆い部８ａの両側部と側面覆い部８ｅ，８ｆの境目８ｇをベルクロ８ｈで結合するなどして、レインカバー８をバッグ本体部２に取り付ける。
【００５３】
次に、図２４に示すように、第１蓋部覆い部８ｄで第１蓋部４を覆い、上記第１蓋部覆い部８ｄを、その周縁部８ｋに取り付けたゴム紐の伸縮性を利用して、バッグ本体部２側に被せるようにして係止することにより撮像機器用キャリングバッグ１は、全体がレインカバー８で覆われた状態になる。
【００５４】
撮像機器用キャリングバッグ１をレインカバー８で覆っている状態で、カメラを取り出す場合には、図２５に示すように、第１蓋部覆い部８ｄを捲くってスライドファスナー１１及びフィックスロック１２を露出させた状態にする。そして、これらスライドファスナー１１及びフィックスロック１２による第１蓋部４のバッグ本体部２への係合を解除することにより第１蓋部４は、開閉可能な状態になり、レインカバー８を取り外すことなく、バッグ本体部２へのカメラの出し入れが可能になる。
【００５５】
また、雨が上がるなどして、レインカバー８が不必要になった場合には、撮像機器用キャリングバッグ１からレインカバー８を取り外して、適宜に折り畳んで、上記ポケット部７内に収納する。
【００５６】
レインカバー８は、連結ベルと８１によってバッグ本体部２に結合されているのでレインカバーの紛失の虞がない。そして、乾燥等の必要があるときには上記バックル８３によりレインカバー８をバッグ本体部２から取り外すこともできる。
（６）他の実施例
上記実施例では、キャリングバッグとして、実施例の撮像機器用のキャリングバッグを例にとって説明したが、必ずしも撮像機器用のキャリングバッグに限られるものではなく、ハンドバッグやボストンバッグ等のバッグであって、その側面にサブバッグを有するものに適用される。
【図面の簡単な説明】
【００５７】
【図１】第1蓋部を開いた状態の斜視図。
【図２】第1蓋部を閉じた状態の斜視図。
【図３】図２の背面側の斜視図。
【図４】分解斜視図。
【図５】肩に掛けて第1蓋部を開いた状態の斜視図。
【図６】第1蓋部を開いた状態の斜視図。
【図７】第２係合手段の斜視図。
【図８】開閉操作部の断面図。
【図９】第２係止手段の作用を示す平面図。
【図１０】第２係止手段の作用を示す平面図。
【図１１】第２係止手段の作用を示す平面図。
【図１２】第２係止手段の作用を示す平面図。
【図１３】サブバッグからベルトクリップを取り外した状態の斜視図。
【図１４】ベルトクリップの断面図。
【図１５】ＡとＢは、サブバッグへのベルトクリップの取り付けを示す説明図。
【図１６】サブバッグをウエストバッグとして使用している状態を示す説明図。
【図１７】サブバッグをショルダーバッグとして使用している状態を示す説明図。
【図１８】ベルトクリップの他の実施例を示す斜視図。
【図１９】要部の断面図。
【図２０】バッグ本体部のベルトクリップ取付部の変形例を示す斜視図。
【図２１】バッグ本体部からレインカバーを取り出した状態の斜視図。
【図２２】レインカバーを裏返した斜視図。
【図２３】レインカバーの組み付け工程図。
【図２４】レインカバーの組み付け工程図。
【図２５】レインカバーを付けた状態でのロックの解除を示す斜視図。
【図２６】第1蓋部を開いた状態の斜視図。
【図２７】第1蓋部を開いてカメラ等を収納した状態の斜視図。
【図２８】第２蓋部を開いてバッテリー等を収納した状態の斜視図。
【図２９】バッグを肩に掛けている状態の斜視図。
【図３０】バッグを手で提げている状態の斜視図。
【符号の説明】
【００５８】
１…撮像機器用キャリングバッグ、２…バッグ本体部、６…サブバッグ、６１…結合ベルト取付部、６２，６３…一対の開口部、６４…ベルト本体部、６５…開口部からの抜け阻止部、６６…ヒンジ部、６７…折返部、６８…結合部材、６８ａ…ベルクロのフック側テープ、６８ｂ…ベルクロのループ側テープ、６８ｃ…係合突起、６８ｄ…突起係合孔、６８ｅ…係合凸部、６９…芯材、７０…
表皮材。
【図１】
2009045266.tif 000003
【図２】
2009045266.tif 000004
【図３】
2009045266.tif 000005
【図４】
2009045266.tif 000006
【図５】
2009045266.tif 000007
【図６】
2009045266.tif 000008
【図７】
2009045266.tif 000009
【図８】
2009045266.tif 000010
【図９】
2009045266.tif 000011
【図１０】
2009045266.tif 000012
【図１１】
2009045266.tif 000013
【図１２】
2009045266.tif 000014
【図１３】
2009045266.tif 000015
【図１４】
2009045266.tif 000016
【図１５】
2009045266.tif 000017
【図１６】
2009045266.tif 000018
【図１７】
2009045266.tif 000019
【図１８】
2009045266.tif 000020
【図１９】
2009045266.tif 000021
【図２０】
2009045266.tif 000022
【図２１】
2009045266.tif 000023
【図２２】
2009045266.tif 000024
【図２３】
2009045266.tif 000025
【図２４】
2009045266.tif 000026
【図２５】
2009045266.tif 000027
【図２６】
2009045266.tif 000028
【図２７】
2009045266.tif 000029
【図２８】
2009045266.tif 000030
【図２９】
2009045266.tif 000031
【図３０】
2009045266.tif 000032